(57)【要約】【課題】意図しない流量により生じる点滴筒内を落下する連続流を検知し、警報等により医療過誤を防ぐ機能を有した輸液ポンプを提供する。【解決手段】点滴筒内で滴落する点滴が通過する水平面高さに、点滴筒を挟む形で発光素子と受光素子を対向させて配置し、点滴筒水平面内の発光素子・受光素子で作る一対の光軸を高速でスキャンニングさせ、光軸が連続流を通過する際に屈折や遮光により光量が減衰する量を受光素子で測定し連続流を検知する構造としている。【選択図】図１
2014204897.tif 000002
【特許請求の範囲】
【請求項１】
点滴筒内を滴落する点滴が、通過する水平面位置に対向して発光素子と受光素子を配置しており、当該発光素子・受光素子が作る光軸が点滴筒内の水平面をスキャンニングする機能を持ち、点滴が発光素子と受光素子間を通過するあいだに１回以上のスキャンニングを行う事が可能な滴落の検知機能を持った輸液ポンプ。
【請求項２】
前記のスキャンニングした値から水平面内に発光素子の光を屈折又は遮光する点滴や連続流がある場合、その位置を特定する機能を備えた滴落の検知機能を持った輸液ポンプ。
【請求項３】
前記の滴落の検知機能により、点滴筒内に連続流が発生した場合に警報を発生する事を特徴とする輸液ポンプ。
【発明の詳細な説明】
【技術分野】
【０００１】
本発明は、輸液セットの点滴筒内を落下する連続流の検知が可能な輸液ポンプに関するものである。
【背景技術】
【０００２】
輸液ポンプは、薬液等を正確に持続輸液できる装置として、医療分野で広く使用されている。その際輸液ポンプに取り付けられ患者に接続する輸液セットは、滅菌されたディスポーザブル品であり、輸液セットの入口部分には流量を目視確認できる様に点滴筒が設けられている。
【０００３】
輸液ポンプの流量制御方法は主に２種類有り、その一つの点滴数制御は、点滴筒から落下（滴落）する点滴を検知し、単位時間当たりの点滴数を設定値に合わせるようにモータの回転速度をフィードバック制御する。もうひとつの制御方法として容量制御があり、輸液セットの特性に合わせモータの回転速度を一定に維持し流量制御している。
【０００４】
医療において輸液の処置は、体内に薬剤等を注入する行為であるため、患者に与えるリスクが高いとされている。その為、輸液の処置を行う輸液ポンプも医療機器の中でリスクの高いレベルに分類され、その安全性を確保するシステムとして滴落検知器がある。
【０００５】
滴落検知器は点滴筒内を滴落する点滴を捉え、輸液ポンプ本体にその滴落タイミングを送信する。輸液ポンプは設定された流量と、滴落タイミングから求められた単位時間あたりの滴数を比較し、流量の制御や警報発生を行う。
【０００６】
輸液セットに備えられている点滴筒には20滴/mLと60滴/mLの物があり、20滴/mLの点滴筒は20個の滴落で約１mLとなるような点滴口（ノズル）が取り付けられている。同様に、60滴/mLの点滴筒は60個の滴落で約１mLとなるような点滴口（ノズル）が取り付けられている。滴落検知器を備えた輸液ポンプは、この滴落を確実に捉えることが流量制御や流量監視の安全性を確保する為に重要な性能となる。
【０００７】
滴落検知器の点滴検知は、点滴通過位置に対向して発光素子・受光素子を配置することで、点滴通過時に光の屈折や遮光により受光素子に入る光量の変化を利用し、受光素子の電圧変化で検知している。
【０００８】
点滴の滴落は流量が早くなるに連れて滴間隔が狭くなり、最終的に滴がつながり連続流となる。この時点で点滴口（ノズル）より落下する流体の形は、一本の円柱形となる。
【０００９】
連続流によって作られたこの円柱が発光素子と受光素子の間にある状態は、受光素子に入る光量の時間的変化が発生しないため、滴落検知器は点滴として検知できない。よって、この状態は、輸液の流れていない状態と同一とポンプ本体は判断してしまう。
【００１０】
特許文献１、２ともに点滴筒内を滴落する点滴１滴の容量を知る為に、その滴の形状を受光側の検知器にて測定し容量計算する方法を示した特許である。点滴筒内を落下する連続流については分割された部分が無い為、これらの特許文献１、２では検知することはできない。
【先行技術文献】
【特許文献】
【００１１】
【特許文献１】特開２０１１−６２３７１号公報
【特許文献２】特開平８−２２９１１９号公報
【発明の概要】
【発明が解決しようとする課題】
【００１２】
解決しようとする問題点は、輸液流量が早くなることにより点滴が連続流となった時、輸液ポンプは液が流れていない状態と区別できなくなる点である。
【課題を解決するための手段】
【００１３】
本発明は、点滴筒２６に対し水平方向に複数の発光素子２３・受光素子２４を配置し、点滴筒内の水平面全体に光軸を向けスキャンニングすることで、滴落する点滴を位置情報として捉えることを特徴とする。
【発明の効果】
【００１４】
本発明の滴落検知器１は、点滴筒の点滴口（ノズル）２７から落下する滴落を、対向する発光素子２３・受光素子２４間を通過する時間情報ではなく、位置情報として捉えるため、輸液流量の早い場合に生じる連続流２５も検知可能となる。よって、輸液が高速で流れてしまう異常流量（フリーフロー等）の検知が可能であり、警報を発生させ事故を未然に防ぐことができるという利点がある。
【図面の簡単な説明】
【００１５】
【図１】図１は輸液ポンプの制御の流れを示した動作説明図である。
【図２】図２は輸液ポンプに輸液セットと滴落検知器を取り付けた図である。
【図３】図３は点滴検知のための発光素子・受光素子の検知高さ示した側面図である。
【図４】図４は図３の検知位置水平断面図で、発光素子・受光素子を水平面に複数個配置した図である。（実施例１）
【図５】図５は１個の発光素子から受光素子に向けた光軸を示した説明図である。（実施例１）
【図６】図６は発光素子が全て動作した時点の全ての光軸を示した説明図である。（実施例１）
【図７】図７は各光軸に対する受光素子の出力電圧を、光軸上に障害物の無い基準電圧３１と障害物のあるときの出力電圧３２を比較した説明図である。（実施例１）
【図８】図８は発光素子の光軸を、機械的にスキャンニングする構造とした場合の説明図である。（実施例２）
【図９】図９は実施例２の受光素子電圧を示した説明図である。（実施例２）
【発明を実施するための形態】
【００１６】
滴落検知器内部の発光素子２３・受光素子２４を、点滴筒を挟む形で水平面内に複数個対向させ配置する。それぞれの素子を独立した組み合わせで順次受発光することで、滴落検知器を通過する点滴又は連続流２５が、どの受発光の組み合わせを通過しているか検知でき位置情報として検出することができる。
【実施例１】
【００１７】
図３は、本発明の実施例１である滴落検知器１の発光素子２３・受光素子２４の配置を示した図である。点滴が通過する位置２８で、点滴筒を挟む様に発光素子・受光素子を対向させ配置する。
【００１８】
発光素子２３a〜２３e受光素子２４a〜２４eは図４の水平断面図の状態で複数個ずつ配置し、それどれの素子が独立して動作するようなシステムとして構成する。
【００１９】
図５水平断面図の発光素子２３aを発光させた時、受光素子２４a〜２４eまで順次動作させ、発光素子２３aにより作られた光軸２３a-a〜２３a-eの光量を測定する。
【００２０】
２３a-a〜２３a-eの光量を測定後、発光素子２３aを停止し次に発光素子２３ｂを発光させ、同様に受光素子２４a〜２４eまで順次動作させ、発光素子２３ｂにより作られた光軸の光量を測定する。この動作を発光素子２３eまで繰り返し、光軸２３a-a〜２３e-eまで２５個の光量データを蓄える。なお、光軸２３a-a〜２３e-eまでの光量データは、点滴が光軸を通過するよりも十分に短い時間で取得する。
【００２１】
点滴筒２６の点滴口（ノズル）２７から流れ出る点滴あるいは連続流２５の検知は、それらが光軸上にある場合、光を屈折や遮光させる為光軸データ２３a-a〜２３e-eが変化する事を利用して行う。
【００２２】
具体的には、光軸上に障害となる物が何もない場合、各発光素子２３a〜２３e受光素子２４a〜２４eの特性を考慮し光量による出力電圧を補正し、基準３１となる一定出力電圧とする。点滴や連続流が光軸上にある場合３２、その受光電圧が他の光軸より低下する事で検知する。
【実施例２】
【００２３】
図８の実施例は、滴落検知器内部の発光素子２３が水平方向に光軸を機械的に回転角度３５で回転することのできる構造を持ち、受光素子２４はその回転する光軸をすべて検知できる受光面３４を持っている。
【００２４】
発光素子２３から出る光軸３３が受光面３４を一回スキャンニングする時間は、点滴が光軸を通過するよりも十分に短い時間で最低１スキャンニングを終了する必要がある。受光素子から得られる出力電圧３６は、光軸が点滴または連続流を通過する際に、屈折や遮光により急激に低下する。この電圧を微分することで、変化の大きい部分を抽出し、点滴または連続流の有無を判定する。
【産業上の利用可能性】
【００２５】
滴落検知器を備えた輸液ポンプが、本特許の連続流を検知可能な機能を有した場合、使用者のミスや装置の不具合で滴落が連続流となるような異常状態が検知可能となり、警報を発生し医療過誤を未然に防ぐことができる。
【符号の説明】
【００２６】
１    滴落検知器
２    輸液セット（点滴筒）
３    輸液ポンプ
４    表示部
５    設定値入力部
２３    発光素子
２３a-a〜２３e-e  光軸
２４    受光素子
２５    点滴筒20滴/mLの連続流
２６    点滴筒
２７    点滴口
２８    滴落検知位置
３１    障害物のない場合の受光電圧
３２    点滴又は連続流のある場合の受光電圧
３３    光軸
３４    受光面
３５    回転角度
３６    受光素子から得られる出力電圧
４０    発光部
４２    滴落受光部
４３    滴落検知部
４４    設定値入力部・制御部
４５    ポンプ各設定項目入力
４６    モータ駆動部
４７    モータ
４８    装液部
４９    警報発生部
【図１】
2014204897.tif 000003
【図２】
2014204897.tif 000004
【図３】
2014204897.tif 000005
【図４】
2014204897.tif 000006
【図５】
2014204897.tif 000007
【図６】
2014204897.tif 000008
【図７】
2014204897.tif 000009
【図８】
2014204897.tif 000010
【図９】
2014204897.tif 000011